(57)【要約】  本発明によれば、扁平なデータキャリア（１）を連続キャリアウェブ（２）に取り付ける装置であって、データキャリア供給装置（３）と、データキャリア移送装置（４）と、キャリアウェブ位置決め装置（５）とを有し、データキャリア供給装置（３）が、駆動ローラ（６）と、駆動ローラ（６）から実質的に水平に間隔を置いて配置されたデフレクタ（７）と、駆動ローラ（６）およびデフレクタ（７）周りに走行する少なくとも１本の運搬ベルト（８）とを有し、運搬ベルト（８）がデータキャリア（１）の送り方向に実質的に水平に走行する上側走行部（９）と、上側走行部の下に逆方向に走行する下側走行部とを有し、上側走行部（９）がデータキャリア（１）のための搬送経路（１１）を形成し、上側走行部が吸引ボックス（１２）に油圧的に連結され、吸引ボックスが上側走行部（９）上に位置するデータキャリア（１）を負圧による運搬ベルト（８）上への吸引によって引きつけることができるような仕方で下に配置され、移送装置（４）が周囲に吸気開口部（１３）を備えた移送ローラ（１４）を有し、移送ローラ（１４）が移送ローラ（１４）の外側ケーシング上に位置するデータキャリア（１）を負圧による外側ケーシング上への吸引によって引きつけることができるような仕方で負圧源に油圧的に連結され、移送ローラ（１４）が供給装置（３）の吸引ボックス（１２）に隣接して位置する入口領域（１５）および入口領域（１５）から特定の角度だけ間隔を置いた状態で位置決め装置（５）に隣接して位置する出口領域（１６）を有し、移送ローラ（１４）の出口領域（１６）のところで、移送ローラ（１４）の外側ケーシング上に位置しているデータキャリア（１）をキャリアウェブ（２）上に移送することができる形式の装置が説明されるとともに図示される。
2019526447.tif 000002
【特許請求の範囲】
【請求項１】
扁平なデータキャリア（１）を連続キャリアウェブ（２）に取り付ける装置であって、
データキャリア供給装置（３）と、
データキャリア移送装置（４）と、
キャリアウェブ位置決め装置（５）とを有し、
前記データキャリア供給装置（３）は、駆動ローラ（６）と、前記駆動ローラ（６）から実質的に水平に間隔を置いて配置されたデフレクタ（７）と、前記駆動ローラ（６）および前記デフレクタ（７）周りに走行する少なくとも１本の運搬ベルト（８）とを有し、
前記運搬ベルト（８）は、前記データキャリア（１）の送り方向に実質的に水平に走行する上側走行部（９）と、前記上側走行部の下に逆方向に走行する下側走行部（１０）とを有し、
前記上側走行部（９）は、前記データキャリア（１）のための搬送経路（１１）を形成し、前記上側走行部は、吸引ボックス（１２）に油圧的に連結され、前記吸引ボックスは、前記上側走行部（９）上に位置するデータキャリア（１）を負圧による前記運搬ベルト（８）上への吸引によって引きつけることができるような仕方で下に配置され、
前記移送装置（４）は、周囲に吸気開口部（１３）を備えた移送ローラ（１４）を有し、前記移送ローラ（１４）は、前記移送ローラ（１４）の外側ケーシング上に位置するデータキャリア（１）を負圧による前記外側ケーシング上への吸引によって引きつけることができるような仕方で負圧源に油圧的に連結され、
前記移送ローラ（１４）は、前記供給装置（３）の前記吸引ボックス（１２）に隣接して位置する入口領域（１５）と、前記入口領域（１５）から特定の角度だけ間隔を置いた状態で前記位置決め装置（５）に隣接して位置する出口領域（１６）を有し、前記移送ローラ（１４）の前記出口領域（１６）のところで、前記移送ローラ（１４）の前記外側ケーシング上に位置しているデータキャリア（１）を前記キャリアウェブ（２）上に移送することができる、装置において、
前記上側走行部（９）上に離脱装置が設けられ、前記離脱装置により、前記上側走行部（９）上に位置したデータキャリア（１）を制御された仕方で前記上側走行部（９）から取り去ることができる、装置。
【請求項２】
前記離脱装置は、前記上側走行部（９）によって形成された前記搬送経路（１１）中において前記吸引ボックス（１２）上に設けられた離脱区分（１７）によって形成され、前記離脱区分内において、過剰圧力をオプションとして、好ましくは前記負圧に代えて、運搬ベルト（８）の前記上側走行部（９）に発生させることができ、前記過剰圧力によって、前記運搬ベルト（８）の前記上側走行部（９）上に位置するデータキャリア（１）を制御された仕方で前記上側走行部（９）から離脱させることができる、請求項１記載の装置。
【請求項３】
前記離脱装置は、前記運搬ベルト（８）に設けられたヒンジ付きフラップを有し、前記上側走行部（９）上の単一のフラップを制御することによって、前記上側走行部（９）上に位置したデータキャリア（１）を制御された仕方で前記上側走行部（９）から離脱させることができ、あるいは、前記離脱装置は、前記上側走行部（９）上の固定された位置において２本の運搬ベルト（８）相互間に固定されたヒンジ付きフラップを有し、前記フラップを制御することによって、前記上側走行部（９）上の前記位置に位置するデータキャリア（１）を制御された仕方で前記上側走行部（９）から離脱させることができる、請求項１記載の装置。
【請求項４】
離脱装置として前記上側走行部（９）によって形成された前記搬送経路（１１）中の前記運搬ベルト（８）には少なくとも１つのグリッパおよび／または吸引カップが割り当てられ、前記グリッパおよび／または前記吸引カップによって、前記運搬ベルト（８）の前記上側走行部（９）上に位置したデータキャリア（１）を制御された仕方で前記上側走行部（９）から取り外すことができる、請求項１記載の装置。
【請求項５】
前記データキャリア供給装置（３）内にまたは前記データキャリア供給装置（３）の前の前記データキャリア（１）の前記送り方向にデータキャリア検査装置（１８）が配置され、前記データキャリア検査装置によって、この箇所を通る個々のデータキャリア（１）の各々を検査することができ、前記検査装置（１８）によって欠陥ありと識別されたデータキャリア（１）は、好ましくは前記離脱区分（１７）のところで、コントローラによって、前記上側走行部（９）から取り去り可能である、請求項１〜４のうちいずれか一に記載の装置。
【請求項６】
前記データキャリア（１）の前記送り方向において前記データキャリア供給装置（３）の開始部に横引き装置（１９）が配置され、前記横引き装置により、連続したデータキャリアウェブ（２）の形態をした到来する前記データキャリア（１）を分離することができる、請求項１〜５のうちいずれか一に記載の装置。
【請求項７】
前記データキャリア（１）の前記送り方向において前記データキャリア供給装置（３）の開始部に分離装置（２０）が配置され、前記分離装置により、連続したベースウェブ（２１）に個々に離脱可能に取り付けられている前記データキャリア（１）を、前記ベースウェブ（２１）から離脱させて前記運搬ベルト（８）の前記上側走行部（９）上に載せることができる、請求項１〜５のうちいずれか一に記載の装置。
【請求項８】
前記データキャリア移送装置（４）の前記移送ローラ（１４）は、前記データキャリア供給装置（３）の前記駆動ローラ（６）でもある、請求項１〜７のうちいずれか一に記載の装置。
【請求項９】
前記データキャリア移送装置（４）の前記移送ローラ（１４）は、前記データキャリア（１）の前記送り方向と反対側で前記移送ローラ（１４）から実質的に水平に間隔を置いた状態で配置された第２のデフレクタ（２２）および前記第２のデフレクタ（２２）と前記移送ローラ（１４）の両方周りに走行する第２のキャリアベルト（２３）と一緒になって、前記データキャリア（１）のための第２の搬送経路（２４）を形成し、前記第２の搬送経路は、前記データキャリア（１）の前記送り方向において前記第１の搬送経路（１１）に接合されている、請求項１〜７のうちいずれか一に記載の装置。
【発明の詳細な説明】
【技術分野】
【０００１】
本発明は、請求項１の前提部の特徴を有する連続キャリアウェブに扁平なデータキャリアを取り付ける装置に関する。
【背景技術】
【０００２】
本発明の基礎となる公知の装置（独国特許出願公開第４４２４４２９（Ａ１）号明細書参照）は、例えば、データキャリアとしてラベルまたは他のマーキングキャリアを有する。データキャリアはまた、特に、受動または能動電子データキャリア、例えばトランスポンダ、チップ、インレイなど（欧州特許第１２６８２８３（Ｂ１）号明細書参照）であるのが良い。データキャリア供給装置を用いて、データキャリアを貯蔵ロールから連続的に送り出し、次に横引き装置によって分離し、そしてこのようにして単一のユニットに分け、あるいは、これは、データキャリアを当初担持したベースウェブからの離脱によって行い、このベースウェブもまた、貯蔵ロールから来ており、ベースウェブは、好ましくは、偏向によって供給装置の領域から取り出され、好ましくは別の貯蔵ロールに巻き付けられる。
【０００３】
データキャリアの整列した状態の供給を提供するため、供給装置は、駆動ローラから水平に間隔を置いて配置されたデフレクタを有し、このデフレクタ周りに、少なくとも１本の運搬ベルトが循環する。先行技術は、互いに平行に循環し、それぞれ、ベルトテンショナを用いて張力下に保持される複数の運搬ベルトを開示している。少なくとも１本の運搬ベルトは、上側走行部を形成し、この上側走行部は、データキャリアの送り方向において実質的に水平に通り、かかる上側走行部は、データキャリアの搬送経路を形成している。運搬ベルトの戻り区分は、下側走行部として逆方向において上側走行部の下を通る。
【０００４】
少なくとも１本の運搬ベルトの上側走行部により形成される搬送経路上において、データキャリアは、制御された仕方でデータキャリア移送装置に送られる。少なくとも１本の運搬ベルトの上側走行部上にしっかりと位置したままの状態にするために、データキャリアは、上側走行部の下に位置する吸引ボックスによって生じる負圧を用いて上側走行部上に保持される。搬送経路の終わりにおいて、すなわち、デフレクタの領域内において、データキャリアは、データキャリア移送装置の移送ローラ上に移送され、そしてこの場合もまた負圧下においてこれらの外側ケーシング上にくっつく。移送ローラのこの入口領域から、特定の角度にわたる移送ローラの回転によって、データキャリアは、出口領域中に動き、この出口領域は、連続運搬ウェブの案内に隣接して配置されている。
【０００５】
連続キャリアウェブは、移送されるべきデータキャリアとキャリアウェブのこれに対応した区分との接触が、案内ローラにより形成されたキャリアウェブのための流れギャップの幅の狭い箇所でのみ生じるようにするよう移送ローラの出口領域上で案内される。次に、データキャリアは、キャリアウェブにくっつき、そしてこれと一緒に次の処理ステーションに進む。
【０００６】
本発明の基礎となる先行技術では、データキャリアを巡回路から個々に排出する手段が存在しない。これは、作動の際、例えばデータキャリアが滑って定位置から外れたり、角度をなして運搬ベルト上を走行したり、誤ったテキストを有していたり、あるいは他の何らかの誤りがあったりなどがオペレータによって認識された場合に必要なことがある。
【先行技術文献】
【特許文献】
【０００７】
【特許文献１】独国特許出願公開第４４２４４２９（Ａ１）号明細書
【特許文献２】欧州特許第１２６８２８３（Ｂ１）号明細書
【発明の概要】
【発明が解決しようとする課題】
【０００８】
したがって、本発明の教示は、かかる課題に基づいており、データキャリアの選択された個々の排出を容易に実施することができるように扁平なデータキャリアを連続キャリアウェブに取り付ける公知の装置を設計するとともに拡張しようとするものである。
【課題を解決するための手段】
【０００９】
上述の課題は、請求項１の前提部の特徴部を有する装置の場合に、請求項１の特徴記載部分の特徴によって解決される。
【００１０】
本発明によれば、運搬ベルトの上側走行部による搬送経路は、個々のデータキャリアを運搬ベルトから選択的に取り外す起点としての最適な場所を提供することが認識された。この目的のため、本発明によれば、上側走行部上に離脱装置が設けられ、離脱装置により、上側走行部上に位置したデータキャリアを制御された仕方で上側走行部から取り去ることができる。本発明の教示は、あらゆる種類の扁平なデータキャリアに当てはまる。
【００１１】
かくして、これらは、主として、本発明の出発点をなす上述の先行技術で言及されたラベルであるのが良いが、特に、これらは、能動または受動型電子扁平データキャリアである。扁平という用語は、必ずしも、完全に平べったいことを意味するわけではなく、例えば、１つまたは２つ以上のチップを担持したデータキャリアに関し、１つまたは２つ以上の隆起領域をデータキャリアのベース上にも配置するのが良い。
【００１２】
本発明の教示との関連において、少なくとも１本の循環運搬ベルトがデータキャリア装置の付近に設けられるが、好ましくは、複数の幅の狭い互いに平行な循環運搬ベルトが設けられる。吸引ボックスの吸気開口部を上側走行部上の運搬ベルト相互間に配置するのが良い。しかしながら、好ましくは、少なくとも１本の運搬ベルトは、それ自体、空気通路開口部を有し、その結果、吸引ボックスの作用効果が少なくとも１本の運搬ベルトを通ってデータキャリアに及ぼされるようになっている。
【００１３】
特に、対応の装置に関する設計上の解決策に関し、特に上述の独国特許出願公開第４４２４４２９（Ａ１）号明細書が参照されるが、更に、欧州特許第１２６８２８３（Ｂ１）号明細書が参照される。
【００１４】
離脱装置として、多種多様な変形例が妥当する場合がある。各離脱装置は、上側走行部により形成される搬送経路の道筋に沿って配置されたデータキャリアを選択的なかつ制御された仕方で上側走行部から取り去ることができなければならない。
【００１５】
本発明の教示の第１の変形設計例によれば、離脱装置は、上側走行部によって形成された搬送経路中において吸引ボックス上に設けられた離脱区分によって形成され、離脱区分内において、過剰圧力をオプションとして、好ましくは負圧に代えて、運搬ベルトの上側走行部に発生させることができ、過剰圧力によって、運搬ベルトの上側走行部上に位置するデータキャリアを制御された仕方で上側走行部から離脱させることができる。この場合、離脱装置は、コンベヤベルトのための吸引ボックスのシステム中に一体化される。吸引ボックス上のある特定の箇所に離脱区分が設けられ、この離脱区分内においては、過剰圧力がオプションとしてかつ選択的に生じ、かくして、負圧から過剰圧力に切り換えることが可能である。
【００１６】
離脱区分を形成する上側走行部上の境界付けセグメントをその寸法が単一のデータキャリアの寸法に一致させるのが良い。しかしながら、これは、コンベヤベルトの走行方向において互いに異なる寸法を有するデータキャリアを考慮に入れていない。したがって、本発明のこの教示の特に好ましい別の変形例では、吸引ボックスのところの離脱区分は、走行方向において比較的小さいサイズを有する。離脱されるべきデータキャリアの互いに異なる寸法は、過剰圧力が離脱区分で生じる時間帯によって許容される。この時間帯を運搬ベルトの循環速度に合致させ、その結果、所望のデータキャリアの離脱を完全に制御できるようにする。
【００１７】
本発明の離脱装置の別の機械的な設計例では、離脱装置は、運搬ベルトに設けられたヒンジ付きフラップを有し、上側走行部上の単一のフラップを制御することによって、上側走行部上に位置したデータキャリアを制御された仕方で上側走行部から離脱させることができる。
【００１８】
本発明の離脱装置の更に別の機械的な設計例では、最終的には、離脱装置として上側走行部によって形成された搬送経路中の運搬ベルトには少なくとも１つのグリッパおよび／または吸引カップが割り当てられ、グリッパおよび／または吸引カップによって、運搬ベルトの上側走行部上に位置したデータキャリアを制御された仕方で上側走行部から取り外すことができる。
【００１９】
上記においてすでに指摘したように、本発明は、能動または受動型電子データキャリアについて特定の意義を有する。この目的のため、本発明の特に好ましい教示によれば、データキャリア供給装置内にまたはデータキャリア供給装置の前のデータキャリアの送り方向にデータキャリア検査装置が配置される。この場合、データキャリア検査装置を通過する個々のデータキャリアの各々を検査することができる。コントローラによって、検査装置によって欠陥ありと識別されたデータキャリアは、次に離脱区分のところで上側走行部から取り去り可能である。
【００２０】
欧州特許第１２６８２８３（Ｂ１）号明細書によって表わされた先行技術では、データキャリアは、トランスポンダであり、データキャリア検査装置は、これに適切に合致する装置である。純粋な存在検出からかかるデータキャリアの種々の機能の多段質問／回答検査まで任意形式の検査が実施されるのが良い。
【００２１】
必須の観点は、データキャリア検査装置がデータキャリアの送り方向に配置され、その結果、装置コントローラが検査の結果を評価し、次に可能な場合には欠陥ありと識別されたデータキャリアの取り去りをトリガするために設けるのに足るほどの時間が残るようにすることにある。データキャリア検査装置は、データキャリア供給装置内に配置されるのが特に好ましく、そして運搬ベルトの上側走行部上の搬送経路の付近にも配置されるのが最適である。
【００２２】
特に好ましい変形設計例では、離脱区分が吸引ボックス上に位置した状態で、データキャリア検査装置は、この離脱区分の前においてデータキャリアの送り方向に配置されなければならない。
【００２３】
変形設計例では、フラップが上側走行部上に位置した状態で、必要な時系列的シーケンスを装置のコントローラによって具体化できる。
【００２４】
グリッパおよび／または吸引カップを用いた機械的手段による離脱装置の具体化例では、この場合もまた、データキャリア検査装置がこの機械的離脱装置の前でデータキャリアの送り方向に配置されることが必要である。先行技術の典型的な分離設計例、すなわち、横引き装置または分離装置はまた、本発明の装置と併用できる。
【００２５】
加うるに、データキャリアの最適案内および移送観点において全体として装置の構成を保証するための種々のやり方が存在する。これは、データキャリア移送装置の移送ローラがデータキャリア供給装置の駆動ローラを同時に形成する設計の場合に特に適している。この場合、少なくとも１本の運搬ベルトは、移送装置の移送ローラを完全にひとまわりする。これにより、データキャリアは、データキャリア供給装置の開始部からデータキャリア移送装置の出口領域までの運動全体にわたり、少なくとも１本の循環運搬ベルト上に正しく同一の場所に位置したままであるようにする。装置を通るデータキャリアの搬送の精度に関し、これは特に好都合な解決策である。
【００２６】
この解決策はまた、水平搬送経路と組み合わせ可能であり、その結果、この場合、２本の運搬ベルトおよび２つの搬送経路が存在する。
【００２７】
全体として、本発明の装置は、欠陥のあるデータキャリアのない、データキャリアを備えたキャリアウェブを生じさせるために用いられる。この装置における重要な特徴は、例外なしに、キャリアウェブで実現される全ての最終製品が欠陥のないデータキャリアを有するということである。キャリアウェブ上にはデータキャリアが位置決めされていない隙間が存在してはならない。これは、移送装置を用いて移送装置上で一緒に移動することを含む製品の適当なタイミングまたは一時的停止を適用することによって首尾一貫した機能的データキャリアが隙間なしでキャリアウェブ上に配置されるということによって問題の形式の装置で達成される。
【００２８】
以下において、好ましい例示の実施形態を示す図面を参照して本発明について詳細に説明する。図面中の各図において、本発明の装置の重要な領域だけがそれぞれ示されている。全体的に見て、本装置は、データキャリア供給装置の前においてデータキャリアの送り方向とデータキャリア移送装置に続くキャリアウェブの出口方向の両方に設けられた別のステーションを更に有する。しかしながら、これは、本発明の教示にとって重要ではなく、したがって、対応の装置のこれらの部分は、図示されておらず、しかも保護されるべき本発明の一部ではない。
【図面の簡単な説明】
【００２９】
【図１】本発明の装置の第１の例示の実施形態の概略側面図である。
【図２】本発明の装置の第２の例示の実施形態の概略側面図である。
【図３】本発明の装置の第３の例示の実施形態の概略側面図である。
【図４】本発明の装置の第４の例示の実施形態の概略側面図である。
【発明を実施するための形態】
【００３０】
全ての図は、扁平なデータキャリア１を連続キャリアウェブ２に取り付ける本発明の装置にとって必要不可欠な部分を一様に示している。キャリアウェブ２は、図１において左下から来ている。キャリアウェブは、例えば、図１には示されていない供給ロールから駆動ローラ対によって描かれている。
【００３１】
本装置は、データキャリア供給装置３、データキャリア移送装置４およびキャリアウェブ位置決め装置５を有する。
【００３２】
キャリアウェブ位置決め装置５は、この場合、キャリアウェブ２のためのモータ駆動式の位置決め可能な偏向ローラとして具体化されており、かかる偏向ローラによって、図１に示されているキャリアウェブ２を右側に水平に偏向させることができる。特に搬送または排出ステーションを更に含む装置の別の処理ステーションが図１の右側に示されているキャリアウェブ２の切断端の隣に続いている。キャリアウェブ２の位置決めは、例えば、モータによって実施できるが、空気圧によりまたは油圧によっても実施できる。
【００３３】
図１に示された例示の実施形態としてのデータキャリア供給装置３は、駆動ローラ６と、駆動ローラ６から間隔を置いて配置されたデフレクタ７を有する。デフレクタ７は、この場合、受動型偏向輪郭として設計されているが、ローラとして具体化されていても良い。デフレクタ７は、駆動ローラ６から実質的に水平に間隔を置いて配置されている。このことは、図１に示されているように、デフレクタ７の頂縁が駆動ローラ６の頂縁とほぼ同じ高さのところに位置することを意味している。
【００３４】
データキャリア供給装置３は、駆動ローラ６およびデフレクタ７周りに循環する少なくとも１つの運搬ベルト８を更に有する。好ましくは、互いに平行に走行する複数の運搬ベルト８が設けられている。少なくとも１本の運搬ベルト８は、好ましくは、張力下で案内され、この目的のため、例えば、公知のベルト張力調整装置が提供されるのが良いが、これは、図１には示されていない。
【００３５】
運搬ベルト８は、駆動ローラ６およびデフレクタ７周りのその案内に起因して、図１に矢印で示されたデータキャリア１の送り方向に実質的に水平に走行する上側走行部９およびこの上側走行部の下で逆方向に走行する下側走行部を有する。上側走行部９は、データキャリア１のための搬送経路１１を形成している。これは、上側走行部９上に位置したデータキャリア１を負圧による運搬ベルト８上への吸引によって引きつけることができるようにその下に配置された吸引ボックス１２に油圧的に連結されている。吸引ボックス１２は、図１には示されていない吸引ポンプに連結されており、この吸引ポンプは、負圧を発生させる。
【００３６】
図１では、運搬ベルト８の上側走行部９上に載っているデータキャリア１が見え、これらデータキャリアは、負圧によって運搬ベルト８上に保持されている。負圧は、下向きの矢印および記号“−Ｐ”で表されている。
【００３７】
データキャリア移送装置４は、周囲に吸気開口部１３を備えた移送ローラ１４を有し、この移送ローラは、負圧源に油圧的に接続され、このローラの外側ケーシング上に位置したデータキャリア１を負圧による外側ケーシングへの吸引によって引きつけることができるようになっている。図１は、移送ローラ１４の外側ケーシング上に直接載ったデータキャリア１を示している。吸気開口部１３により得られる負圧は、半径方向内側に向いた矢印および記号“−Ｐ”で記されている。
【００３８】
移送ローラ１４は、供給装置３の吸引ボックス１２に隣接して位置する入口領域および特定の角度、この場合約１８０°の角度、だけ入口領域１５から間隔を置いて配置されかつキャリアウェブ位置決め装置に隣接して位置する出口領域１６を有する。
【００３９】
図１で理解できるように、データキャリア１は、駆動ローラ６の回転によって上側入口領域から出口領域１６まで下方に搬送される。
【００４０】
移送ローラ１４の出口領域１６のところで、移送ローラ１４の外側ケーシング上に位置したデータキャリア１をキャリアウェブ２上に移送することができる。これは、移送ローラ１４の出口領域１６と位置決め装置５を形成するローラの頂部との間の流れのギャップで理解できる。
【００４１】
データキャリア１は、入口領域１５において図１の上側部および出口領域１６では下側部が接着剤層で被覆されるのが良く、その結果、キャリアウェブ位置決め装置５内において、データキャリアは、これら相互間に引かれたキャリアウェブ２にくっつくようになっている。しかしながら、図示するとともに好ましい例示の実施形態では、データキャリア１は、付着性があるようには設計されていない。これは、必要条件ではなく、というのは、データキャリアは、到来するデータキャリアウェブから所定長さに単純に裁断されるからである。しかしながら、この場合、キャリアウェブ２は、図１のその上側部が接着性を有するよう設計されており、その結果、キャリアウェブ位置決め装置５の付近において、かくして移送ローラ１４の出口領域１６のところで負圧によって移送ローラ１４の外周部にくっつくデータキャリア１は、キャリアウェブ２に非常に強く付着するので、移送ローラ１４に加わる油圧吸引力に打ち勝つようになっている。付着は、くっつきを意味する場合があるが、これは、異なる状態で、例えば、静電気で実現されても良い。原理的には、両方を実現することができ、すなわち、データキャリア１とキャリアウェブ２は、付着性であるように構成されるのが良い。
【００４２】
位置決め装置５を形成するローラは、連続的に走行することができまたはこのローラは、出口領域１６内に設けられた位置決め駆動装置によって移送ローラ１４上の特定の箇所に繰り返し位置決め可能であっても良く、その目的は、特定のデータキャリア１をキャリアウェブ２に個別的に連結することにある。この目的のため、参照可能な制御プロセスの多様な変形例が当該技術分野において知られている。
【００４３】
全体として、この位置決め装置を連続的にまたはクロック動作方式で作動させることができ、この場合はまた、当該技術分野においては多くの実施例が存在する。ただし、特定の好ましい方法は、本明細書の導入部で説明した理由で本装置のクロック動作である。
【００４４】
本発明によれば、離脱装置がこの場合、上側走行部９上に設けられ、この離脱装置により、上側走行部９上に位置したデータキャリア１を制御されたやり方で上側走行部９から取り去ることができる。好ましい例示の実施形態は、空気圧式離脱装置を示している。しかしながら、原理的には、機械式離脱装置もまた使用可能である。
【００４５】
図示していないが第１の別の設計例では、離脱装置は、運搬ベルト８上に設けられたヒンジ付きフラップを有する。単一のフラップを作動させることにより、上側走行部９上に位置したデータキャリア１を制御されたやり方で上側走行部９から離脱させることができる。これまた図示されていない第２の変形設計例では、離脱装置は、上側走行部９上の複数の互いに平行に走行する運搬ベルト８相互間に配置された機械式フラップを有する。このフラップを連続的に循環する運搬ベルト８相互間で揺動させることができ、それによりこのフラップは、データキャリア１を上側走行部９から離脱させることができる。このフラップは、静止状態であり、かくして、運搬ベルト８と一緒に循環する必要はない。
【００４６】
別の機械的な変形例では、運搬ベルト８には離脱装置として少なくとも１つのグリッパおよび／または吸引カップが割り当てられている。グリッパおよび吸引カップを用いて運搬ベルト８の上側走行部９上に位置したデータキャリア１を制御された仕方で上側走行部９から取り去ることができ、かくして、データキャリアは、運搬ベルト８から選択的に取り去られる。
【００４７】
好ましくは空気圧式の離脱装置に関し、図１は、この場合、上側走行部９により形成される搬送経路１１の道筋において吸引ボックス１２上に離脱区分１７が存在し、この離脱区分内においては、過剰圧力をオプションとして運搬ベルト８の上側走行部９に働くよう生じさせることができ、かかる過剰圧力により、上側走行部９上に位置するデータキャリア１を制御された仕方で上側走行部９から離脱させることができる。図１に見える離脱区分１７内においては、吸引ボックス１２から上側走行部９に加えられる圧力は、負圧（−Ｐ）であるのが良い。しかしながら、必要ならば、これは、上向きの矢印および記号“＋Ｐ”で示された過剰圧力であっても良い。これは、オプションとして、追加の圧力源、例えば過剰圧力発生器によって発生可能である。過剰圧力は、特定のデータキャリア１を運搬ベルト８から離脱させる必要がある場合には離脱させ、すなわち、本装置から排出しまたは取り去ることが必要である場合にはいつでも発生可能である。
【００４８】
ここまで説明した本装置は、あらゆる種類のデータキャリア１に、更にデータキャリア１の排出が例えばオペレータによる視覚的チェックによって開始されるデータキャリアにさえも利用可能である。
【００４９】
本発明の教示は、データキャリア１が例えば受動型または能動型電子データキャリア１、例えばトランスポンダである場合には特に重要である。
【００５０】
図１に示された好ましい例示の実施形態は、これがあらゆるデータキャリア１に利用可能であるが、特に能動または受動型電子データキャリア１に適している程度まで、データキャリア供給装置３（具体的に図示されている）ではまたはデータキャリア供給装置３の前のデータキャリア１の送り方向におよび更に離脱区分１７の前のデータキャリア１の送り方向において、データキャリア検査装置１８が配置され、このデータキャリア検査装置により、これを通過する個別的なデータキャリア１の各々を検査することができる。検査装置１８によって欠陥があると識別されたデータキャリア１は、コントローラによって離脱区分１７のところで上側走行部９から取り去り可能である。
【００５１】
図１に詳細には示されていないコントローラは、本装置の処理の全体的制御をもたらすために必要である。この関連で、上述の先行技術、特に欧州特許第１２６８２８３（Ｂ１）号明細書の先行技術を参照することができる。
【００５２】
データキャリア検査装置１８は、データキャリア１が良好な順序の状態にあるかどうかを判定するために用いられる。これは、例えば運搬ベルト８上におけるその存在および／または位置決めに関して例えば受動型の非電子データキャリア１の目視検査であるのが良い。
【００５３】
データキャリア検査装置１８は、能動または受動型電子データキャリア１、特にトランスポンダ、例えばＲＦＩＤチップ、インレイなどにとって特に重要である。この点においても、上述の先行技術が参照される。
【００５４】
図１に示されている例示の実施形態では、データキャリア検査装置１８は、データキャリア供給装置３それ自体の領域内にかつデータキャリア１の送り方向における搬送経路１１の離脱区分１７の前に設置されている。離脱区分１７内の過剰圧力の作動が、これが必要であることが必要な場合、対応のデータキャリア１に正確に合わせられるほどに足るほど早くそれぞれのデータキャリア１の検査データの評価が進むような仕方で距離が定められる。
【００５５】
原理を説明すると、データキャリア検査装置１８はまた、データキャリア１の送り方向において実質的に更に前方に、かくして図１の更に右側に配置されても良い。重要な点は、データキャリア検査装置１８から離脱区分１７までの問題のデータキャリア１の要する時間が制御プロセスにおいて適正に考慮に入れられることにある。コントローラはまた、送り方向におけるデータキャリア１の相対寸法に従って離脱区分１７内に過剰圧力を発生させる時間の長さを制御することができる。この場合、離脱区分１７は、図面に示している長さよりも送り方向において著しく短いのが良い。データキャリア１のサイズに応じて、離脱区分１７は、単に、短期間にわたりまたは長期間にわたって圧力が加えられる。
【００５６】
上記においてかつ本明細書の概略説明部分において詳しく説明した機械式離脱装置に関し、同様な検討が当てはまる。
【００５７】
図１に示されるとともにこの点に関して好ましい例示の実施形態は、データキャリア１の送り方向においてデータキャリア供給装置３の開始部に横引き装置１９が配置され、横引き装置により、連続したデータキャリアウェブ２の形態をした到来するデータキャリア１を分離することができる。これは、先行技術を形成する独国特許出願公開第４４２４４２９（Ａ１）号明細書から、しかも欧州特許第１２６８２８３（Ｂ１）号明細書からも知られた技術に対応している。
【００５８】
図４に示された別の設計例は、偏向ローラ２０′およびセパレータプレート２０″を備えた分離装置２０がデータキャリア１の送り方向においてデータキャリア供給装置３の開始部のところに配置され、この分離装置により、連続したベースウェブ２１に取り付けられている個別的に離脱可能なデータキャリア１をベースウェブ２１から離脱させて上側走行部９上に載せることができるという設計例に基づいている。これは、データキャリア１が別個の分離された形態で連続したベースウェブ２１上にすでに配置され、次に個別的にこれから離脱されて上側走行部９上に載せられる技術である。次に、ベースウェブ２１はそれ自体、供給ロール２１′の方向に巻かれる。
【００５９】
図１に示された設計例により、単純な仕方で、すなわち、既存の搬送経路１１を用いることにより、使用できないデータキャリア１の取り去りを実行することが可能である。同じことが、図４の別の設計例に当てはまる。
【００６０】
図２および図３の変形例もまた、同一の利点を有するが、ただし、装置の設計が僅かに異なって選択されている。
【００６１】
図２の設計例では、データキャリア移送装置４の移送ローラ１４は、データキャリア供給装置３の駆動ローラ６としても働く。同一の参照符号が図１の同一のコンポーネントに用いられている。
【００６２】
図２で理解できるように、運搬ベルト８はこの場合、図１に示されている設計例の場合の距離よりも非常に長い距離にわたって移動する。これは、運搬ベルト８がこの場合、データキャリア移送装置４の移送ローラ１４に巻き付けられるということと関連している。反対側の端では、デフレクタ７は、偏向ローラとして設計されている。この設計の結果として、移送ローラ１４の内部の負圧（“−Ｐ”で表されている）が移送ローラ１４の外周部上で案内される少なくとも１本の運搬ベルト８を通ってデータキャリア１に作用する。データキャリア供給装置３の入口のところで、この場合送り方向における横引き装置１９のすぐ後ろで、運搬ベルト８上に到着したデータキャリア１は、搬送経路１３全体にわたって、かつ出口領域１６のところまで移送ローラ１４の周囲の関連の部分領域全体上で運搬ベルト８のこの位置に留まる。運搬ベルト８上のデータキャリア１の位置に悪影響を及ぼす場合のある一時的な移送箇所は存在しない。したがって、これは、特に好都合な設計である。
【００６３】
図３は、図１および図２の変形例の組み合わせである別の設計上の変形例を示している。同一の参照符号がこれまた、これらの図の同一のコンポーネントについて用いられている。
【００６４】
図３に示されている変形例では、データキャリア移送装置４の移送ローラ１４は、データキャリア１の送り方向と反対側で移送ローラ１４から実質的に水平に間隔を置いた状態で配置された第２のデフレクタ２２、および第２のデフレクタ２２と移送ローラ１４の両方周りに走行する第２のキャリアベルト２３、と一緒になって、データキャリア１のための第２の搬送経路２４を形成し、この第２の搬送経路は、データキャリア１の送り方向において第１の搬送経路１１に接合されている。この場合、第１のデフレクタ７は、偏向ローラでもある。また、駆動ローラ６とデフレクタ７は場所の交換が可能であり、この場合、これらは均等物である。
【００６５】
第１の運搬ベルト８から第２の運搬ベルト２３への移送は、この場合、連続水平搬送経路２４の付近で起こり、この移送は、したがって、高いフェールセーフ性を有する。移送ローラ１４の付近では、同一の利点が図２の例示の実施形態の場合のように得られ、すなわち、少なくとも１本の運搬ベルト２３がこの場合もまた、移送ローラ１４に完全に巻き付けられる。全体として、当然のことながら、複数の互いに平行に走行する運搬ベルト２３が設けられることが好ましい。
【００６６】
一般的に言って、少なくとも１本運搬ベルト８，２３は、好ましくは、空気の吸気開口部を備え、その結果、吸引ボックス１２のところ、第２の吸引ボックス２５のところおよび移送ローラ１４のところでの負圧が少なくとも１本の運搬ベルト８を介してデータキャリア１に常時作用し、それゆえ、データキャリア１の表面全体にわたり多かれ少なかれ常時作用する。
【符号の説明】
【００６７】
１  データキャリア
２  キャリアウェブ
３  データキャリア供給装置
４  データキャリア移送装置
５  キャリアウェブ位置決め装置
６  駆動ローラ
７  デフレクタ
８  運搬ベルト
９  上側走行部
１０  下側走行部
１１  第１の搬送経路
１２  吸引ボックス
１３  吸気開口部
１４  移送ローラ
１５  入口領域
１６  出口領域
１７  離脱区分
１８  データキャリア検査装置
１９  横引き装置
２０  分離装置
２０′  偏向ローラ
２０″  セパレータプレート
２１  ベースウェブ
２１′  供給ロール
２２  第２のデフレクタ
２３  第２の運搬ベルト
２４  第２の搬送経路
２５  第２の吸引ボックス
【図１】
2019526447.tif 000003
【図２】
2019526447.tif 000004
【図３】
2019526447.tif 000005
【図４】
2019526447.tif 000006
【国際調査報告】
2019526447.tif 000007
2019526447.tif 000008
2019526447.tif 000009
2019526447.tif 000010
2019526447.tif 000011
2019526447.tif 000012